(57)【要約】【課題】個人データの作成途中から簡単な操作で付加するデータの入力設定を行なう。【解決手段】電話帳作成モード途中で個人データを構成する文字データ以外の例えば画像データの入力をキー入力部１４で指示すると画像データの入力作成モードに移行し、画像撮影部１２により画像データ入力を終えた時点で上記電話帳作成モードに自動復帰すると共に、入力した画像データファイルを作成中の個人データに付加設定するＣＰＵ１１を備える。【選択図】      図１
2006079642.tif 000002
【特許請求の範囲】
【請求項１】
電話帳作成モード途中で個人データを構成する文字データ以外のデータの入力を指示する第１の指示手段と、
この第１の指示手段に従って該データの入力作成モードに移行する第１のモード制御手段と、
この第１のモード制御手段により移行した他のモードでのデータ入力の終了を指示する第２の指示手段と、
この第２の指示手段に従って上記電話帳作成モードに自動復帰すると共に、上記他のモードで入力されたデータファイルを作成中の個人データに付加設定する第２のモード制御手段と
を具備したことを特徴とする電話帳作成装置。
【請求項２】
上記電話帳作成モードで作成する個人データのサイズを設定するサイズ設定手段と、
このサイズ設定手段で設定した個人データのサイズに基づいて上記電話帳作成モードで作成される個人データのサイズを管理するサイズ管理手段と
をさらに具備したことを特徴とする請求項１記載の電話帳作成装置。
【請求項３】
上記サイズ管理手段は、上記付加するデータファイルを含めた個人データサイズを管理することを特徴とする請求項２記載の電話帳作成装置。
【請求項４】
上記サイズ制限手段は、上記付加するデータファイルの数を制限することを特徴とする請求項３記載の電話帳作成装置。
【請求項５】
上記サイズ管理手段は、上記付加するデータファイルがデータに圧縮を施すものであった場合に、その圧縮率を制限することを特徴とする請求項３記載の電話帳作成装置。
【請求項６】
上記サイズ管理手段は、上記付加するデータファイルが画像データであった場合に、その画像データを構成する各画素の階調数を制限することを特徴とする請求項３記載の電話帳作成装置。
【請求項７】
上記サイズ制限手段は、上記付加するデータファイルが画像データであった場合に、その画像データを構成する画素数を制限することを特徴とする請求項３記載の電話帳作成装置。
【請求項８】
電話帳作成モード途中で個人データを構成する文字データ以外のデータの入力を指示する第１の指示工程と、
この第１の指示工程での指示に従って該データの入力作成モードに移行する第１のモード制御工程と、
この第１のモード制御工程により移行した他のモードでのデータ入力の終了を指示する第２の指示工程と、
この第２の指示工程での指示に従って上記電話帳作成モードに自動復帰すると共に、上記他のモードで入力されたデータファイルを作成中の個人データに付加設定する第２のモード制御工程と
を有したことを特徴とする電話帳作成方法。
【請求項９】
電話帳作成モード途中で個人データを構成する文字データ以外のデータの入力を指示する第１の指示工程と、
この第１の指示工程での指示に従って該データの入力作成モードに移行する第１のモード制御工程と、
この第１のモード制御工程により移行した他のモードでのデータ入力の終了を指示する第２の指示工程と、
この第２の指示工程での指示に従って上記電話帳作成モードに自動復帰すると共に、上記他のモードで入力されたデータファイルを作成中の個人データに付加設定する第２のモード制御工程と
をコンピュータに実行させる命令を含む制御プログラムを格納したことを特徴とする、コンピュータが読取り可能な記録媒体。
【発明の詳細な説明】
【技術分野】
【０００１】
本発明は、特に個人データに画像データ等のデータファイルを添付して電話帳を作成する場合に好適な電話帳作成装置、電話帳作成方法及び記録媒体に関する。
【背景技術】
【０００２】
従来より、電子手帳やハンドヘルドタイプのパーソナルコンピュータの一部等では、個人の姓名、住所、電話番号等の個人データを複数人数分記憶し、必要に応じて読出すことが可能な電話帳機能を有しているものがある。
【０００３】
このような電話帳機能にあって、特定の個人データに例えば画像データを付加設定する場合には、その個人データの作成前に予め付加する画像データを用意しておくか、あるいは個人データの作成途中でその個人データを一旦保存して電話帳の作成モードを終了した後に、画像の撮影等により添付すべき画像データを装置に入力し、あらためて電話帳の作成モードに移行して、入力した画像データを任意の個人データに付加設定するといった操作が必要であった。
【発明の開示】
【発明が解決しようとする課題】
【０００４】
上述したように、電話帳の個人データに画像データ等を付加設定する場合には、予めその付加すべきデータを用意していないと操作が非常に煩雑となる。
【０００５】
そのため、個人データの作成時に気軽に各種のデータを付加設定するようなことはできず、電話帳を気軽に作成して活用する上での障害となっていた。
【０００６】
本発明は上記のような実情に鑑みてなされたもので、その目的とするところは、個人データの作成途中からでも簡単な操作で付加すべきデータの入力設定を行なうことが可能な電話帳作成装置、電話帳作成方法及び記録媒体を提供することにある。
【課題を解決するための手段】
【０００７】
請求項１記載の発明は、電話帳作成モード途中で個人データを構成する文字データ以外のデータの入力を指示する第１の指示手段と、この第１の指示手段に従って該データの入力作成モードに移行する第１のモード制御手段と、この第１のモード制御手段により移行した他のモードでのデータ入力の終了を指示する第２の指示手段と、この第２の指示手段に従って上記電話帳作成モードに自動復帰すると共に、上記他のモードで入力されたデータファイルを作成中の個人データに付加設定する第２のモード制御手段とを具備したことを特徴とする。
【０００８】
このような構成とすれば、電話帳作成モードの途中からでも簡単な操作で付加設定すべきデータファイルの入力を行なうことが可能となる。
【０００９】
請求項２記載の発明は、上記請求項１記載の発明において、上記電話帳作成モードで作成する個人データのサイズを設定するサイズ設定手段と、このサイズ設定手段で設定した個人データのサイズに基づいて上記電話帳作成モードで作成される個人データのサイズを管理するサイズ管理手段とをさらに具備したことを特徴とする。
【００１０】
このような構成とすれば、上記請求項１記載の発明りの作用に加えて、作成できる個人データのサイズに制限がある場合でも該データの作成時に対処することができる。
【００１１】
請求項３記載の発明は、上記請求項２記載の発明において、上記サイズ管理手段は、上記付加するデータファイルを含めた個人データサイズを管理することを特徴とする。
【００１２】
このような構成とすれば、上記請求項２記載の発明の作用に加えて、作成する個人データ全体のサイズに制限がある場合でも該データの作成時に確実に対処することができる。
【００１３】
請求項４記載の発明は、上記請求項３記載の発明において、上記サイズ制限手段は、上記付加するデータファイルの数を制限することを特徴とする。
【００１４】
このような構成とすれば、上記請求項３記載の発明の作用に加えて、個々の付加データファイルのサイズが比較的小さく、且つばらつきがない場合に有用となる。
【００１５】
請求項５記載の発明は、上記請求項３記載の発明において、上記サイズ管理手段は、上記付加するデータファイルがデータに圧縮を施すものであった場合に、その圧縮率を制限することを特徴とする。
【００１６】
このような構成とすれば、上記請求項３記載の発明の作用に加えて、画像データや音声データなどデータ圧縮を施して添付ファイル化する場合にその圧縮の程度で対処することができるため、よりデータサイズの調整の自由度を上げることができる。
【００１７】
請求項６記載の発明は、上記請求項３記載の発明において、上記サイズ管理手段は、上記付加するデータファイルが画像データであった場合に、その画像データを構成する各画素の階調数を制限することを特徴とする。
【００１８】
このような構成とすれば、上記請求項３記載の発明の作用に加えて、画像データの構成画素数を確保しながらデータサイズを制限できるため、よりデータサイズの調整の自由度を上げることができる。
【００１９】
請求項７記載の発明は、上記請求項３記載の発明において、上記サイズ制限手段は、上記付加するデータファイルが画像データであった場合に、その画像データを構成する画素数を制限することを特徴とする。
【００２０】
このような構成とすれば、上記請求項３記載の発明の作用に加えて、画質を決定する一要因である画像データを構成する個々の画素での階調数を確保しながらデータサイズを制限できるため、よりデータサイズの調整の自由度を上げることができる。
【００２１】
請求項８記載の発明は、電話帳作成モード途中で個人データを構成する文字データ以外のデータの入力を指示する第１の指示工程と、この第１の指示工程での指示に従って該データの入力作成モードに移行する第１のモード制御工程と、この第１のモード制御工程により移行した他のモードでのデータ入力の終了を指示する第２の指示工程と、この第２の指示工程での指示に従って上記電話帳作成モードに自動復帰すると共に、上記他のモードで入力されたデータファイルを作成中の個人データに付加設定する第２のモード制御工程とを有したことを特徴とする。
【００２２】
このような方法とすれば、電話帳作成モードの途中からでも簡単な操作で付加設定すべきデータファイルの入力を行なわせることが可能となる。
【００２３】
請求項９記載の発明は、電話帳作成モード途中で個人データを構成する文字データ以外のデータの入力を指示する第１の指示工程と、この第１の指示工程での指示に従って該データの入力作成モードに移行する第１のモード制御工程と、この第１のモード制御工程により移行した他のモードでのデータ入力の終了を指示する第２の指示工程と、この第２の指示工程での指示に従って上記電話帳作成モードに自動復帰すると共に、上記他のモードで入力されたデータファイルを作成中の個人データに付加設定する第２のモード制御工程とをコンピュータに実行させる命令を含む制御プログラムを格納したことを特徴とする。
【００２４】
このような記録内容とすれば、電話帳作成モードの途中からでも簡単な操作で付加設定すべきデータファイルの入力を行なわせることが可能となる。
【発明の効果】
【００２５】
請求項１記載の発明によれば、電話帳作成モードの途中からでも簡単な操作で付加設定すべきデータファイルの入力を行なうことが可能となる。
【００２６】
請求項２記載の発明によれば、上記請求項１記載の発明りの効果に加えて、作成できる個人データのサイズに制限がある場合でも該データの作成時に対処することができる。
【００２７】
請求項３記載の発明によれば、上記請求項２記載の発明の効果に加えて、作成する個人データ全体のサイズに制限がある場合でも該データの作成時に確実に対処することができる。
【００２８】
請求項４記載の発明によれば、上記請求項３記載の発明の効果に加えて、個々の付加データファイルのサイズが比較的小さく、且つばらつきがない場合に有用となる。
【００２９】
請求項５記載の発明によれば、上記請求項３記載の発明の効果に加えて、画像データや音声データなどデータ圧縮を施して添付ファイル化する場合にその圧縮の程度で対処することができるため、よりデータサイズの調整の自由度を上げることができる。
【００３０】
請求項６記載の発明によれば、上記請求項３記載の発明の効果に加えて、画像データの構成画素数を確保しながらデータサイズを制限できるため、よりデータサイズの調整の自由度を上げることができる。
【００３１】
請求項７記載の発明によれば、上記請求項３記載の発明の効果に加えて、画質を決定する一要因である画像データを構成する個々の画素での階調数を確保しながらデータサイズを制限できるため、よりデータサイズの調整の自由度を上げることができる。
【００３２】
請求項８記載の発明によれば、電話帳作成モードの途中からでも簡単な操作で付加設定すべきデータファイルの入力を行なわせることが可能となる。
【００３３】
請求項９記載の発明によれば、電話帳作成モードの途中からでも簡単な操作で付加設定すべきデータファイルの入力を行なわせることが可能となる。
【発明を実施するための最良の形態】
【００３４】
以下本発明を電話帳機能を備えた電子メールソフトを実行するハンドヘルドタイプのパーソナルコンピュータに適用した場合の実施の一形態について図面を参照して説明する。
【００３５】
図１はこのようなパーソナルコンピュータ（ＰＣ）１０の回路構成を示すもので、１１が回路全体の動作を制御するＣＰＵである。このＣＰＵ１１に対して、画像撮影部１２、液晶表示部１３、キー入力部１４、通信部１５、データサイズ監視部１６、トータルサイズ計算部１７、ＲＯＭ１８、ＲＡＭ１９、ハードディスク装置（ＨＤＤ）２０、音声入力部２１、音声出力部２２、及び登録番号指定部２３が接続される。
【００３６】
画像撮影部１２は、光学レンズ系部材とＣＣＤ等の撮像素子及びこの撮像素子で撮像した画像をデジタルデータ化する画像処理回路等からなるもので、得られた画像データファイルはハードディスク装置２０に蓄積される。
【００３７】
液晶表示部１３は、カラー液晶パネルとその駆動回路、ビデオＲＡＭ及びバックライト装置等からなるもので、ビデオＲＡＭに展開記憶した画像データを表示出力する。
【００３８】
キー入力部１４は、マウス等のポインティングデバイスを含み、このパーソナルコンピュータ１０のユーザによる操作を受付けて、電子メールソフトで電話帳を構成する個人データの作成やその他、各種データの入力、コマンド指示等を行なう。
【００３９】
通信部１５は、例えばモデム装置で構成され、ここでは図示しない公衆回線網と接続することで他の端末装置や各種サーバ等とこのパーソナルコンピュータ１０とを接続し、電子メール等各種データの送受信を含んだ通信を実行する。
【００４０】
データサイズ監視部１６は、電子メールソフトで電話帳作成モード時に、作成中の個人データに対してその付加データファイルも含めた全体のサイズ（データ容量）を監視するもので、特にサイズに制限が与えられている場合にはその制限を越えないように入力を抑制するようなガイドメッセージを表示するなどの制御を行なう。
【００４１】
トータルサイズ計算部１７は、電子メールソフトの電話帳作成モードで作成したすべての個人データからなる電話帳フォルダのデータサイズやメール作成モードで作成したすべてのメールデータのサイズ、その他ハードディスク装置２０に格納される他のすべてのデータのサイズを統括して管理する。
【００４２】
ＲＯＭ１８は、このパーソナルコンピュータ１０のＢＩＯＳ（基本入出力システム）やその他データを固定的に記憶する。
【００４３】
ＲＡＭ１９は、ＣＰＵ１１が動作するために必要なワークエリアを構成する。
【００４４】
ハードディスク装置２０は、ＯＳ（オペレーティングシステム）、電子メールソフトを含む各種アプリケーションソフトウェアと、上述した電話帳フォルダ、画像データ、音声データ、スケジュールデータ、メールデータ等のユーザデータを格納するもので、特に上記電子メールソフトを含む各種アプリケーションソフトウェアに関しては、ＣＤ−ＲＯＭ等の記録媒体を用いてインストールしたものとしてもよいし、あるいは通信部１５を介して無線通信媒体よりダウンロードしてインストールしたものとしてもよい。
【００４５】
音声入力部２１は、マイクロホンとＡ／Ｄ変換器及び音声処理回路等からなり、音声通信に必要な音声を入力する。
【００４６】
音声出力部２２は、音声合成回路やデジタル音源とアンプ部及びスピーカ等からなり、音声データをアナログ化してスピーカより拡声放音する。
【００４７】
登録番号指定部２３は、上記画像撮影部１２で撮影してハードディスク装置２０に格納する画像データの番号を予め登録するための指定入力を行なう。
【００４８】
次に上記実施の形態の動作について説明する。
【００４９】
図２はハードディスク装置１９に格納されている電子メールソフトを起動した場合の動作処理内容を例示するもので、その処理当初にはメインメニューを液晶表示部１３で表示させた上で（ステップＡ０１）、そのメニュー中のいずれかのモード名がキー入力部１４での操作により選択されるのを待機する（ステップＡ０２）。
【００５０】
図５はこのとき液晶表示部１３で表示されるメインメニューを例示するもので、「電話帳確認」「電話帳作成」「メール確認」「メール作成」「データサイズ設定」「撮影」‥‥「終了」等の各モード名がモード番号と共に表示されている。
【００５１】
しかして、上記ステップＡ０２で上記メインメニュー中のいずれかが選択されたと判断すると、まずその選択されたモードが「終了」であるか否かを判断する（ステップＡ０３）。
【００５２】
ここで、選択されたモードが「終了」であった場合には、その選択した内容通りこの図２に示す電子メールソフトを終了するが、そうでなかった場合には、次に選択されたモードが「データサイズ設定」であるか否かを判断する（ステップＡ０４）。
【００５３】
ここで選択されたモードが「データサイズ設定」であると判断した場合には、これ以後「電話帳作成」モードで作成するすべての個人データを対象とするのか、または１つの個人データのみを対象とするのかを選択した上で、データサイズの設定処理を実行し（ステップＡ０５）、その後に再び上記ステップＡ０１からの処理に戻る。
【００５４】
なお、このデータサイズの設定処理においては、付加するデータファイルを含めた個人データ全体のサイズを設定する場合と、個人データの最大文字数及び付加するデータファイルの最大サイズをそれぞれ個別に設定する場合とが考えられるが、ここでは付加するデータファイルを含めた個人データ全体のサイズを設定するものとして以下の説明を行なうものとする。
【００５５】
また、上記ステップＡ０４でメインメニューから選択されたモードが「データサイズ設定」でもないと判断した場合には、続いて「電話帳作成」であるか否かを判断する（ステップＡ０６）。
【００５６】
ここで、選択されたのが「電話帳作成」のモードでもないと判断した場合には、本実施の形態とは直接関係しないので、ここではその詳細な説明を一切省略するが、その選択されたモードの内容に基づいた処理を実行し（ステップＡ０７）、再び上記ステップＡ０１からの処理に戻る。
【００５７】
しかして、上記ステップＡ０６で選択されたのが「電話帳作成」のモードであると判断すると、実際のメール作成処理に移行し（ステップＡ０８）、そのモード処理後には再び上記ステップＡ０１からの処理に戻る。
【００５８】
図３はこの「電話帳作成」モードでの処理内容を示すサブルーチンであり、その当初には電話帳を構成する個人データの作成フォーマットに基づいた入力画面に移行して、その入力待ちを行ない（ステップＢ０１）、なんらかの入力があった場合にこれを判断する（ステップＢ０２）という処理を繰返し行なう。
【００５９】
しかして、入力があった場合にはこれをステップＢ０２で判断し、次に入力があったのは画面中の「メニュー」ボタンの指定によるものであるか否かを判断する（ステップＢ０３）。
【００６０】
これは、作成した個人データに対するなんらかの指示を与えるためのメールメニューを選択する「メニュー」ボタンを上記個人データの入力画面の一部に表示させておき、それが指定されたか否かにより判断するもので、「メニュー」ボタンの指定ではないと判断した場合には、個人データを構成する項目を入力すべく対応した処理を実行しながら（ステップＢ０４）、再び上記ステップＢ０１からの処理に戻って次の入力を待機するという処理を繰返す。
【００６１】
図６はこうして入力されている電話帳の個人データの内容を例示するもので、ここでは「ＴＥＬ（電話番号）」、「名前」「読み」「住所」「Ｅ−ｍａｉｌＡｄｒｅｓｓ１」等の各項目に内容が適宜入力されており、画面下部に「メニュー」ボタンが表示されている状態を示す。
【００６２】
しかして、個人データの各項目への入力を終えた時点でこのパーソナルコンピュータ１０のユーザが同一画面中の「メニュー」ボタンを指定すると、上記ステップＢ０３でこれを判断して、次に作成した個人データに関する各種の選択を促すための電話帳作成メニューを液晶表示部１３で表示して（ステップＢ０５）、そのメニュー項目のいずれかが選択されるのを待機する（ステップＢ０６）。
【００６３】
図７はこのとき液晶表示部１３で表示されるメールメニューの画面を例示するものであり、「保存」「保存終了」「終了」「撮影」「プログラム」「他の文章」「録音」「撮影予約」「送信」の各メニュー項目名が項目番号と共に表示されている。
【００６４】
しかして、上記ステップＢ０６で上記メールメニュー中のいずれかの項目が選択されたと判断すると、次いでその選択された項目を判断してその内容に対応した処理を実行する。
【００６５】
すなわち、このステップＢ０６で選択されたと判断したのが「撮影」であった場合には、画像撮影部１２による画像の撮影を行ない、得た画像データをこの個人データへ付加するデータファイルとして自動設定した後に再びこのメール作成モードのステップＢ０５からの処理に戻る（ステップＢ０７）。
【００６６】
図４はこの画像撮影を行なう際の詳細な処理内容を示すサブルーチンであり、その当初には上記メインメニューの「データサイズ設定」モードでの処理によるデータサイズの設定がなされているか否かを確認し（ステップＣ０１）、これと合わせて現在作成中の個人データのサイズを確認することで（ステップＣ０２）、その差によりこれから付加設定する画像データファイルに使用可能なサイズを勘案する。
【００６７】
次いで、ハードディスク装置１９の所定の電話帳の保存領域に格納されている各個人データに付加設定されている画像データの個々のデータサイズを確認することで（ステップＣ０３）、おおよそ何枚分の画像データを撮影して電子メールに添付することができるのかを計算する（ステップＣ０４）。
【００６８】
この場合、画像撮影部１２において得られる画像データが例えば横Ｘ（ドット）×縦Ｙ（ドット）×３色（ＲＧＢ）×１６ビット（階調数）であったとすると、これをフルスペックで使用するものをノーマルモードとし、ＲＧＢ３色それぞれの階調数を上位８ビットのみ使用して下位８ビットを制限し、全体のデータサイズを半減したものをエコノミーモードとして、ノーマルモードとエコノミーモードの双方について撮影可能な画像の枚数を計算し、その結果を液晶表示部１３に表示する（ステップＣ０５）。
【００６９】
このとき、同時に液晶表示部１３においては、そのまま標準としてのノーマルモードでの撮影の実行を指示する「撮像」ボタン、エコノミーモードでの撮影に切換える「ノーマル／エコノミー」ボタン、画像の撮影を終了して電話帳作成モードに復帰するための「終了」ボタンを併せて表示した上で、それらのいずれかが指示選択されるのを待機する（ステップＣ０６）。
【００７０】
なお、上記ステップＣ０４での結果、撮影可能な画像の枚数がノーマルモード、エコノミーモード共に「０」であった場合には、上記「撮影」ボタンによる選択を無効化し、またノーマルモードが「０」、エコノミーモードが「１」であった場合にはその時点での「撮影」ボタンによる選択を無効化しながら、エコノミーモードへの切換えが行なわれた後には「１」枚のみ撮影を許可するものとする。
【００７１】
しかして、ステップＣ０６で液晶表示部１３で表示される各ボタンの中からいずれかが選択されたと判断すると、まず選択されたのが「終了」ボタンであるか否かを判断し（ステップＣ０７）、「終了」ボタンであった場合にはその時点でこの図４の処理を終了して上記図３のステップＢ０５からの処理に戻る。
【００７２】
また、上記ステップＣ０７で選択されたのが「終了」ボタンではないと判断した場合には、次いで選択されたのが撮影モードを切換えるための「ノーマル／エコノミー」ボタンであるか否かを判断する（ステップＣ０８）。
【００７３】
ここで「ノーマル／エコノミー」ボタンであると判断した場合には、ノーマルモードとエコノミーモードの一方から他方へと撮影モードを切換えた上で（ステップＣ０９）、再び上記ステップＣ０５からの選択を待機する状態に戻る。
【００７４】
また、上記ステップＣ０８で選択されたのが「ノーマル／エコノミー」ボタンではないと判断した場合、選択されたのは「撮影」ボタンであることとなるので、その時点で設定されている撮影モードに従って画像撮影部１２から得られる画像データを取込み、これを図８に示すように液晶表示部１３で一定時間、例えば５秒間表示させると共に、作成している電話帳の個人データの付加ファイルとして設定し（ステップＣ１０）、その上で再び上記ステップＣ０４からの処理に戻り、上記撮影により減少した残りのデータサイズに基づいて撮影可能な画像の枚数の再計算と表示とを行なう。
【００７５】
なお、このステップＣ１０での撮影により得た画像データファイルの個人データへの付加設定に際しては、個人データの「名前」が設定されている場合にはその「名前」の内容を用い、付加する画像データファイルのシリアル番号と組合わせてそのファイル名として、例えば「山田１．ｊｐｇ（「．ｊｐｇ」は静止画データの圧縮方式ＪＰＥＧ（Ｊｏｉｎｔ Ｐｈｏｔｏｇｒａｐｈ ｃｏｄｉｎｇＥｘｐｅｒｔｓ Ｇｒｏｕｐ）に基づいた画像データファイルの拡張子）」「山田２．ｊｐｇ」「山田３．ｊｐｇ」‥‥のように個人データの内容に関連したファイル名を自動的に付加設定させるものとすれば、個人データを作成する際の煩雑な操作を簡略化することができる。
【００７６】
こうして、作成できる個人データのサイズに制限がある場合でも付加設定する画像データの総容量を制限することで、個人データ全体のサイズを制限することができる。
【００７７】
なお、上記図４の処理では、個人データに付加設定する画像データファイルのサイズを枚数と個々の撮影モード（１画素（ドット）当たりの階調数を減らすことによる表現色数の調整）でのデータ容量とに応じて制限するものとしたが、他にも１枚当たりの縦横の構成画素（ドット）数すなわち撮影範囲や、特に上記ＪＰＥＧのようなデータ圧縮を施すデータファイルの場合の圧縮率等を調節することによっても全体のデータサイズを制限することができる。
【００７８】
こうして撮影可能なデータサイズの範囲で撮影により得た画像データを適宜付加設定することができるもので、上述した如く「終了」ボタンを選択することで上記図３の電話帳作成モード時のステップＢ０５からの処理に戻る。
【００７９】
図９は、こうして１枚の画像データファイルが撮影され、個人データに付加設定された後の個人データの入力画面を例示するもので、画面中においても付加設定された画像データが同時に表示されることとなる。
【００８０】
なお、上記図３のステップＢ０６で選択されたと判断したのが「撮影」ではなく「プログラム」であった場合には、続けてプログラムの作成処理に自動的に移行し、作成されたプログラムデータをこの個人データに付加設定した後に（ステップＢ０８）、再びステップＢ０５からの電話帳作成メニューの選択待機の状態に戻る。
【００８１】
なお、このステップＢ０８のプログラム作成処理においては、プログラムを構成する総ステップ数を制限するなどして個人データ全体のデータサイズを制限することができる。
【００８２】
また、上記ステップＢ０６で選択されたと判断したのが「他の文書」であった場合には、個人データの各項目内容とは別の文章データを作成する処理に自動的に移行し、作成された文章データをこの個人データに付加設定した後に（ステップＢ０９）、再びステップＢ０５からの電話帳作成メニューの選択待機の状態に戻る。
【００８３】
このステップＢ０９の文章データの作成処理においては、文章を構成する総文字数を制限するなどして個人データ全体のデータサイズを制限することができる。
【００８４】
さらに、上記ステップＢ０６で選択されたと判断したのが「録音」であった場合には、音声入力部２０によりメッセージとしての音声を録音する処理に自動的に移行し、録音により得た音声データをこの個人データに付加設定した後に（ステップＢ１０）、再びステップＢ０５からの電話帳作成メニューの選択待機の状態に戻る。
【００８５】
このステップＢ１０の音声データの録音処理においては、録音する音声の時間、サンプリング周波数、及び量子化ビット数等をそれぞれ複数段階分用意し、それらを任意に組合わせることで、全体の時間は短いが高音質のメッセージ、全体の時間は長いが低音質のメッセージなど、ファイルを添付した個人データ全体のデータサイズを制限することができる。
【００８６】
また、上記ステップＢ０６で選択されたと判断したのが「撮影予約」であった場合には、電話帳の個人データ作成時に被写体となる人物の撮影を行なうことができない状態であるものとし、撮影予約処理として予め画像登録番号を選択指定した上で（ステップＢ１１）、一旦再びステップＢ０５からの電話帳作成メニューの選択待機の状態に戻る。
【００８７】
図１０は、この撮影予約処理において画像登録番号の選択指定を行なっている状態での画面を例示するもので、まだ予約されていない番号のみを一覧表示し、そのいずれかが選択されるのを待機する。
【００８８】
そして、選択を行なうと、併せてその予約番号のコメント入力に移行する。ここで個人データの作成時に「名前」の項目への入力がすでになされている場合には、図１１に示すようにその入力内容が自動的にコメントとして入力されるもので、ユーザが任意にコメントを入力し、確定することで、この撮影予約処理を終了し、電話帳作成メニューの選択待機の状態に戻る。
【００８９】
しかして、上記のように撮影予約を行なった後に、被写体となる人物がこのパーソナルコンピュータ１０のユーザの前に現出した際には、上記図５で示したメインメニューから撮影モードに移行し、コメントと共に表示される撮影予約番号を選択することで直ちに画像撮影部１２による撮影を行なうことができ、撮影によって得た画像データファイルは自動的に対応する個人データに付加設定されることとなる。
【００９０】
さらに、上記ステップＢ０６で選択されたと判断したのが「保存終了」であった場合には、作成した個人データをハードディスク装置１９内の電話帳のデータ保存領域に格納、保存した後に（ステップＢ１２）、この電話帳作成モードを終了し、上記図２のステップＡ０１からの処理に戻る。
【００９１】
また、上記ステップＢ０６で選択されたと判断したのが「送信」であった場合には、作成した個人データを上記通信部１５により自機が契約しているメールサーバを介して送信する処理を実行して（ステップＢ１３）、この電話帳作成モードを終了し、上記図２のステップＡ０１からの処理に戻る。
【００９２】
さらに、上記ステップＢ０６で選択されたと判断したのが「終了」であった場合には、作成した個人データに関するなんらかの処理を行なうことなしにそのままこの電話帳作成モードを終了し、上記図２のステップＡ０１からの処理に戻る。
【００９３】
なお、上記動作の説明では、パーソナルコンピュータで用いる電子メールソフトに含まれている電話帳機能により、電話帳を構成する個人データを作成するものとして説明したが、本発明はこれに限らず、電子手帳やＰＤＡ（Ｐｅｒｓｏｎａｌ Ｄｉｇｉｔａｌ Ａｓｓｉｓｔａｎｔｓ）、デジタル携帯電話機及びＰＨＳ（Ｐｅｒｓｏｎａｌ Ｈａｎｄｙｐｈｏｎｅ Ｓｙｓｔｅｍ：第２世代コードレス電話システム）に代表される移動体通信装置及びそれらに適用される通信方法で名前と電話番号を含む個人データを管理する電話帳機能あるいはアドレス帳機能を有するものであれば、いずれにも適用可能であることは勿論である。
【００９４】
その他、本発明はその要旨を逸脱しない範囲内で種々変形して実施することが可能であるものとする。
【図面の簡単な説明】
【００９５】
【図１】本発明の実施の一形態に係るパーソナルコンピュータの回路構成を示すブロック図。
【図２】同実施の形態に係る電子メールソフトの動作処理内容を示すフローチャート。
【図３】図２の電話帳作成処理のサブルーチンの処理内容を示すフローチャート。
【図４】図３の画像撮影処理のサブルーチンの処理内容を示すフローチャート。
【図５】同実施の形態に係る動作時の表示画面を例示する図。
【図６】同実施の形態に係る動作時の表示画面を例示する図。
【図７】同実施の形態に係る動作時の表示画面を例示する図。
【図８】同実施の形態に係る動作時の表示画面を例示する図。
【図９】同実施の形態に係る動作時の表示画面を例示する図。
【図１０】同実施の形態に係る動作時の表示画面を例示する図。
【図１１】同実施の形態に係る動作時の表示画面を例示する図。
【符号の説明】
【００９６】
１０…パーソナルコンピュータ（ＰＣ）
１１…ＣＰＵ
１２…画像撮影部
１３…液晶表示部
１４…キー入力部
１５…通信部
１６…データサイズ監視部
１７…トータルサイズ計算部
１８…ＲＯＭ
１９…ＲＡＭ
２０…ハードディスク装置（ＨＤＤ）
２１…音声入力部
２２…音声出力部
２３…登録番号指定部
【図１】
2006079642.tif 000003
【図２】
2006079642.tif 000004
【図３】
2006079642.tif 000005
【図４】
2006079642.tif 000006
【図５】
2006079642.tif 000007
【図６】
2006079642.tif 000008
【図７】
2006079642.tif 000009
【図８】
2006079642.tif 000010
【図９】
2006079642.tif 000011
【図１０】
2006079642.tif 000012
【図１１】
2006079642.tif 000013
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
文字データを入力する文字データ入力手段と、
撮像手段と、
上記文字データ入力手段により入力された文字データの内容を表示する表示手段と、
この表示手段によって上記入力された文字データの内容が表示されているとき、上記撮像手段による撮像指示を上記文字データの入力に関わる他の指示と同じ態様で上記表示手段に表示させる第１の表示制御手段と、
この第１の表示制御手段により上記撮像手段による撮像指示が表示されているときに、上記撮影指示が選択されたか否かを判断する判断手段と、
この判断手段により上記撮影指示が選択されたと判断すると、上記撮像手段を起動させて撮像するよう制御する撮像制御手段と、
この撮像制御手段により取り込まれた画像データを、上記文字データ入力手段により入力された文字データに付加設定して記憶する記憶手段と
を備えたことを特徴とするデータ処理装置。
【請求項２】
上記撮像制御手段により取り込まれる画像データを、上記文字データ入力手段により入力された文字データの内容に切り替えて一定時間表示するよう上記表示手段を制御する第２の表示制御手段を更に備えたことを特徴とする請求項１に記載のデータ処理装置。
【請求項３】
上記記憶手段により上記文字データに上記画像データが付加設定されて記憶された後、上記文字データの内容が表示されると、上記文字データとともに上記画像データに基づく画像を表示するよう上記表示手段を制御する第３の表示制御手段を更に備えたことを特徴とする請求項１または２に記載のデータ処理装置。
【請求項４】
通信手段を更に備え、
上記文字データは上記通信手段を制御するデータであることを特徴とする請求項１乃至３の何れかに記載のデータ処理装置。
【請求項５】
上記文字データは個人データであり、上記記憶手段とはこれらの個人データを電話帳データとして記憶することを特徴とする請求項１乃至４の何れかに記載のデータ処理装置。
【請求項６】
文字データを入力する文字データ入力ステップと、
上記文字データ入力ステップにて入力された文字データの内容を表示部に表示させる表示ステップと、
この表示ステップにて上記入力された文字データの内容が表示されているとき、撮像部を起動させる指示を上記文字データの入力に関わる他の指示と同じ態様で上記表示部に表示させる第１の表示制御ステップと、
この第１の表示制御ステップにて上記撮像部を起動させる指示が表示されているときに、この指示が選択されたか否かを判断する判断ステップと、
この判断ステップにて上記指示が選択されたと判断すると、上記撮像部を起動させて撮像するよう制御する撮像制御ステップと、
この撮像制御ステップにて取り込まれた画像データを、上記文字データ入力ステップにて入力された文字データに付加設定してメモリに記憶させる記憶ステップと
からなることを特徴とするデータ処理方法。
【請求項７】
コンピュータを
文字データを入力する文字データ入力手段、
上記文字データ入力手段にて入力された文字データの内容を表示部に表示させる表示手段、
この表示手段によって上記入力された文字データの内容が表示されているとき、撮像部を起動させる指示を上記文字データの入力に関わる他の指示と同じ態様で上記表示部に表示させる第１の表示制御手段、
この第１の表示制御手段により上記撮像部を起動させる指示が表示されているときに、この指示が選択されたか否かを判断する判断手段、
この判断手段によって上記指示が選択されたと判断すると、上記撮像部を起動させて撮像するよう制御する撮像制御手段、
この撮像制御手段によって取り込まれた画像データを、上記文字データ入力手段によって入力された文字データに付加設定してメモリに記憶させる記憶手段
として機能させるためのプログラム。
【手続補正３】
【補正対象書類名】明細書
【補正対象項目名】０００１
【補正方法】変更
【補正の内容】
【０００１】
本発明は、例えば、入力する文字データとして個人データを入力し、このデータに画像データを付加設定して記憶させる場合に好適なデータ処理装置、及び、データ処理方法に関する。
【手続補正４】
【補正対象書類名】明細書
【補正対象項目名】０００６
【補正方法】変更
【補正の内容】
【０００６】
本発明は上記のような実情に鑑みてなされたもので、その目的とするところは、文字データの入力途中からでも、簡単な操作でこの文字データに画像データを付加設定することができるデータ処理装置、及び、データ処理方法を提供することにある。
【手続補正５】
【補正対象書類名】明細書
【補正対象項目名】０００７
【補正方法】変更
【補正の内容】
【０００７】
請求項１記載の発明は、文字データを入力する文字データ入力手段と、撮像手段と、上記文字データ入力手段により入力された文字データの内容を表示する表示手段と、この表示手段によって上記入力された文字データの内容が表示されているとき、上記撮像手段による撮像指示を上記文字データの入力に関わる他の指示と同じ態様で上記表示手段に表示させる第１の表示制御手段と、この第１の表示制御手段により上記撮像手段による撮像指示が表示されているときに、上記撮影指示が選択されたか否かを判断する判断手段と、この判断手段により上記撮影指示が選択されたと判断すると、上記撮像手段を起動させて撮像するよう制御する撮像制御手段と、この撮像制御手段により取り込まれた画像データを、上記文字データ入力手段により入力された文字データに付加設定して記憶する記憶手段とを備えたことを特徴とする。
【手続補正６】
【補正対象書類名】明細書
【補正対象項目名】０００８
【補正方法】変更
【補正の内容】
【０００８】
請求項１記載の発明によれば、入力された文字データの内容が表示されているとき、撮像指示が文字データの入力に関わる他の指示と同じ態様で表示される。そして、この撮像指示が選択されると、撮像手段を起動させ、取り込まれた画像データを入力された文字データに付加設定して記憶するので、例えば、電話帳作成モードのような文字データの入力の途中からでも簡単な操作で、画像データを付加設定することが可能となる。
【手続補正７】
【補正対象書類名】明細書
【補正対象項目名】０００９
【補正方法】変更
【補正の内容】
【０００９】
請求項２記載の発明は、上記請求項１記載の発明において、上記撮像制御手段により取り込まれる画像データを、上記文字データ入力手段により入力された文字データの内容に切り替えて一定時間表示するよう上記表示手段を制御する第２の表示制御手段を更に備えたことを特徴とする。
【手続補正８】
【補正対象書類名】明細書
【補正対象項目名】００１０
【補正方法】変更
【補正の内容】
【００１０】
請求項２記載の発明によれば、上記請求項１記載の発明に加え、取り込まれる画像データを、入力された文字データの内容に切り替えて一定時間表示するので、文字データの入力途中であっても、どのような画像データが取り込まれるのかを確認することが可能となる。
【手続補正９】
【補正対象書類名】明細書
【補正対象項目名】００１１
【補正方法】変更
【補正の内容】
【００１１】
請求項３記載の発明は、上記請求項１または２に記載の発明において、上記記憶手段により上記文字データに上記画像データが付加設定されて記憶された後、上記文字データの内容が表示されると、上記文字データとともに上記画像データに基づく画像を表示するよう上記表示手段を制御する第３の表示制御手段を更に備えたことを特徴とする。
【手続補正１０】
【補正対象書類名】明細書
【補正対象項目名】００１２
【補正方法】変更
【補正の内容】
【００１２】
請求項３記載の発明によれば、上記請求項１または２に記載の発明に加え、文字データに画像データが付加設定されて記憶された後は、上記文字データの内容とともに付加設定された画像データに基づく画像が表示されるので、文字データの入力途中であっても、どのような画像データが付加設定されたのかを確認することが可能となる。
【手続補正１１】
【補正対象書類名】明細書
【補正対象項目名】００１３
【補正方法】変更
【補正の内容】
【００１３】
請求項４記載の発明は、上記請求項１乃至３の何れかに記載の発明において、通信手段を更に備え、上記文字データは上記通信手段を制御するデータであることを特徴とする。
【手続補正１２】
【補正対象書類名】明細書
【補正対象項目名】００１４
【補正方法】変更
【補正の内容】
【００１４】
請求項４記載の発明によれば、上記請求項１乃至３の何れかに記載の発明に加え、文字データは通信手段を制御するデータであるので、文字データとして、電話番号やＥ−ｍａｉｌＡｄｒｅｓｓ等、他の端末装置等と接続するためのデータを入力することが可能となる。
【手続補正１３】
【補正対象書類名】明細書
【補正対象項目名】００１５
【補正方法】変更
【補正の内容】
【００１５】
請求項５記載の発明は、上記請求項１乃至４の何れかに記載の発明において、上記文字データは個人データであり、上記記憶手段とはこれらの個人データを電話帳データとして記憶することを特徴とする。
【手続補正１４】
【補正対象書類名】明細書
【補正対象項目名】００１６
【補正方法】変更
【補正の内容】
【００１６】
請求項５記載の発明によれば、上記請求項１乃至４の何れかに記載の発明を、電話帳データの個人データの入力に適用させることが可能となる。
【手続補正１５】
【補正対象書類名】明細書
【補正対象項目名】００１７
【補正方法】変更
【補正の内容】
【００１７】
請求項６記載の発明は、文字データを入力する文字データ入力ステップと、上記文字データ入力ステップにて入力された文字データの内容を表示部に表示させる表示ステップと、この表示ステップにて上記入力された文字データの内容が表示されているとき、撮像部を起動させる指示を上記文字データの入力に関わる他の指示と同じ態様で上記表示部に表示させる第１の表示制御ステップと、この第１の表示制御ステップにて上記撮像部を起動させる指示が表示されているときに、この指示が選択されたか否かを判断する判断ステップと、この判断ステップにて上記指示が選択されたと判断すると、上記撮像部を起動させて撮像するよう制御する撮像制御ステップと、この撮像制御ステップにて取り込まれた画像データを、上記文字データ入力ステップにて入力された文字データに付加設定してメモリに記憶させる記憶ステップとからなることを特徴とする。
【手続補正１６】
【補正対象書類名】明細書
【補正対象項目名】００１８
【補正方法】変更
【補正の内容】
【００１８】
請求項６記載の発明によれば、入力された文字データの内容が表示されているとき、撮像指示が文字データの入力に関わる他の指示と同じ態様で表示される。そして、この撮像指示が選択されると、撮像部を起動させ、取り込まれた画像データを入力された文字データに付加設定して記憶するので、例えば、電話帳作成モードの途中からでも簡単な操作で、画像データを付加設定することが可能となる。
【手続補正１７】
【補正対象書類名】明細書
【補正対象項目名】００１９
【補正方法】変更
【補正の内容】
【００１９】
請求項７記載の発明は、コンピュータを文字データを入力する文字データ入力手段、上記文字データ入力手段にて入力された文字データの内容を表示部に表示させる表示手段、この表示手段によって上記入力された文字データの内容が表示されているとき、撮像部を起動させる指示を上記文字データの入力に関わる他の指示と同じ態様で上記表示部に表示させる第１の表示制御手段、この第１の表示制御手段により上記撮像部を起動させる指示が表示されているときに、この指示が選択されたか否かを判断する判断手段、この判断手段によって上記指示が選択されたと判断すると、上記撮像部を起動させて撮像するよう制御する撮像制御手段、この撮像制御手段によって取り込まれた画像データを、上記文字データ入力手段によって入力された文字データに付加設定してメモリに記憶させる記憶手段として機能させることを特徴とする。
【手続補正１８】
【補正対象書類名】明細書
【補正対象項目名】００２０
【補正方法】変更
【補正の内容】
【００２０】
請求項７記載の発明によれば、入力された文字データの内容が表示されているとき、撮像指示が文字データの入力に関わる他の指示と同じ態様で表示される。そして、この撮像指示が選択されると、撮像部を起動させ、取り込まれた画像データを入力された文字データに付加設定して記憶するので、例えば、電話帳作成モードの途中からでも簡単な操作で、画像データを付加設定することが可能となる。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】変更
【補正の内容】
【００２５】
請求項１記載の発明によれば、例えば、電話帳作成モードのような文字データの入力の途中からでも簡単な操作で、画像データを付加設定することが可能となる。
【手続補正２４】
【補正対象書類名】明細書
【補正対象項目名】００２６
【補正方法】変更
【補正の内容】
【００２６】
請求項２記載の発明によれば、上記請求項１記載の発明の効果に加えて、取り込まれる画像データを、入力された文字データの内容に切り替えて一定時間表示するので、文字データの入力途中であっても、どのような画像データが取り込まれるのかを確認することが可能となる。
【手続補正２５】
【補正対象書類名】明細書
【補正対象項目名】００２７
【補正方法】変更
【補正の内容】
【００２７】
請求項３記載の発明によれば、上記請求項１または２に記載の発明の効果に加えて、文字データの入力途中であっても、どのような画像データが付加設定されたのかを確認することが可能となる。
【手続補正２６】
【補正対象書類名】明細書
【補正対象項目名】００２８
【補正方法】変更
【補正の内容】
【００２８】
請求項４記載の発明によれば、上記請求項１乃至３の何れかに記載の発明の効果に加えて、文字データとして、電話番号やＥ−ｍａｉｌＡｄｒｅｓｓ等、他の端末装置等と接続するためのデータを入力することが可能となる。
【手続補正２７】
【補正対象書類名】明細書
【補正対象項目名】００２９
【補正方法】変更
【補正の内容】
【００２９】
請求項５記載の発明によれば、上記請求項１乃至４の何れかに記載の発明の効果を電話帳データの個人データの入力に適用させることが可能となる。
【手続補正２８】
【補正対象書類名】明細書
【補正対象項目名】００３０
【補正方法】変更
【補正の内容】
【００３０】
請求項６記載の発明によれば、例えば、電話帳作成モードの途中からでも簡単な操作で、画像データを付加設定することが可能となる。
【手続補正２９】
【補正対象書類名】明細書
【補正対象項目名】００３１
【補正方法】変更
【補正の内容】
【００３１】
請求項７記載の発明によれば、例えば、電話帳作成モードの途中からでも簡単な操作で、画像データを付加設定することが可能となる。
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】